(57)【特許請求の範囲】
【請求項１】
基材上の少なくとも一部に、規則的に配列された複数の画線から成る秘匿情報を有する印刷物において、
前記複数の画線は、前記秘匿情報に基づき形成された基本画線と、
前記基本画線に対して外側の位置に１本以上所定の間隔で配列された拡張画線及び／又は前記基本画線に対して内側の位置に１本以上所定の間隔で配列された収縮画線と、
前記拡張画線及び／又は前記収縮画線が、前記基本画線に対して配列された際に生じる空白領域に配列される補足画線から構成され、
前記基本画線、前記拡張画線、前記収縮画線及び前記補足画線を構成する縦方向の画線と横方向の画線は、略直角であることを特徴とする秘匿情報を有する印刷物。
【請求項２】
前記複数の画線は、画線幅及び非画線幅が等しいことを特徴とする請求項１記載の秘匿情報を有する印刷物。
【請求項３】
前記複数の画線において、前記基本画線と、前記基本画線の隣に配置される前記拡張画線又は前記収縮画線との非画線幅が、その他の非画線幅とは異なり、前記その他の非画線幅はすべて等しいことを特徴とする請求項１記載の秘匿情報を有する印刷物。
【請求項４】
前記基本画線は、前記秘匿情報の輪郭に基づき形成されたことを特徴とする請求項１、２又は３記載の秘匿情報を有する印刷物。
【請求項５】
前記基本画線が機能性を有するインキにより印刷され、前記基本画線以外の前記複数の画線が、前記機能性を有しないインキにより印刷されているか、又は前記基本画線以外の前記複数の画線が、機能性を有するインキにより印刷され、前記基本画線が前記機能性を有しないインキにより印刷され、前記機能性を有するインキ及び前記機能性を有しないインキが同色であることを特徴とする請求項１、２、３又は４記載の秘匿情報を有する印刷物。
【発明の詳細な説明】
【技術分野】
【０００１】
本発明は、銀行券、パスポート、有価証券、カード、印紙類、商品タグ、有料道路等の回数券、各種チケット等の貴重品の偽造防止効果を高めることが可能な線画模様から成る印刷物に関するものである。
【背景技術】
【０００２】
銀行券、パスポート、有価証券、カード、印紙類、商品タグ、有料道路等の回数券、各種チケット等の貴重品は、その価値を保証及び維持するために偽造防止技術が施されている。そのため、このような貴重品には、例えば、複製防止や複写機での複写防止効果を得るために線画によって彩紋模様やコピー防止画線によって印刷模様を形成している。
【０００３】
また、彩紋模様の偽造防止効果を高めるために彩紋模様内に微小文字を埋め込む技術が開示されている。例えば、基材上の少なくとも一部に彩紋模様が施された印刷物において、彩紋の少なくとも一部が文字で構成されている印刷物であって、肉眼では単に彩紋模様が構成されているように認識されるが、その情報を知っている者に限り、真正品には当該微小文字の存在が認識可能な彩紋の一部に文字を有した印刷物が開示されている（例えば、特許文献１参照）。
【０００４】
また、複写機での複写防止効果を得るために、線画によってコピー防止画線を形成する技術が開示されている。例えば、一定の画線幅の画線を有する複数のロゴタイプ等の文字及びシンボルマークの輪郭線に、前記輪郭線を成す線分の外向には、前記輪郭線の線分の画線幅より細い画線幅による定量連続拡張した画線を施し、前記輪郭線を成す線分の内向には、前記輪郭線の線分の画線幅より細い画線幅による収縮配列した画線を施し、前記輪郭線を成す線分と、定量連続拡張した画線と、収縮配列した画線とが等差数列を成す画線の集合体で構成した複写防止模様の作成方法とその印刷物であり、複写機等により複写した場合に、モアレ模様の発生によって複写防止効果を得る技術である（例えば、特許文献２参照）。
【０００５】
さらに、 一定の画線幅の画線を有する複数のロゴタイプ等の文字及びシンボルマークの輪郭線に、前記輪郭線を成す線分の外向には、前記輪郭線の線分の画線幅より太い画線幅による定量連続拡張した画線を施し、前記輪郭線を成す線分の内向には、前記輪郭線の線分の画線幅より太い画線幅による収縮配列した画線を施し、前記輪郭線を成す線分と、定量連続拡張した画線と、収縮配列した画線とが等差数列を成す画線の集合体で構成した複写防止模様の作成方法とその印刷物であり、複写機等により複写した場合に、モアレ模様の発生によって複写防止効果を得る技術である（例えば、特許文献３参照）。
【０００６】
【特許文献１】特開２００７−１５３２０号公報（第１−４頁、第１−７図）
【特許文献２】特許第３３６８３２９号公報（第１−９頁、第１−１１図）
【特許文献３】特許第３３６８３３０号公報（第１−５頁、第１−７図）
【０００７】
特許文献１の印刷物は、ルーペ等の拡大鏡で観察した場合に微小文字が確認できるものであった。また、特許文献２及び特許文献３の印刷物は、文字、ロゴマーク等がスプレッド画線によって形成されたもので、複写機で複写した場合にモアレを発生されることが目的であるため、あらかじめ文字、ロゴマークが肉眼で確認できるもので、文字、ロゴマークの輪郭線に対して外向するに従い、図２７に示すように、外側の画線が曲線となるものであった。また、文字等の情報をスプレッド画線内の秘匿情報とした場合に、スプレッド画線内の秘匿情報があらかじめ肉眼で確認されてしまう問題があった。
【０００８】
さらに、近年のコンピュータ機器の普及発展によって、貴重品の偽造が従来よりも多くなってきており、複製されにくい、より複雑な線画形状であって、本物か否かを真偽判別することが可能な埋め込み情報を有する印刷物が求められている。
【０００９】
ここで、特許文献２及び特許文献３にも記載されており、本発明におけるスプレッド画線４とは、図１に示すように、所定の線画４ａ（二値画像データ）に対して、外向及び／又は内向するように、所定の間隔で連続拡張した拡張画線４ａ＋１、４ａ＋２・・・及び／又は収縮画線４ａ−１、４ａ−２・・・が形成されたパターンをいう。
【発明の開示】
【発明が解決しようとする課題】
【００１０】
本発明は、このような従来の問題を解決することを目的としたもので、スプレッド画線内に、肉眼で確認されにくい秘匿情報を埋め込んだことを特徴とする秘匿情報を有する印刷物を提案することを目的とする。
【課題を解決するための手段】
【００１１】
本発明は、基材上の少なくとも一部に、規則的に配列された複数の画線から成る秘匿情報を有する印刷物において、前記複数の画線は、前記秘匿情報に基づき形成された基本画線と、前記基本画線に対して外側の位置に１本以上所定の間隔で配列された拡張画線及び／又は基本画線に対して内側の位置に１本以上所定の間隔で配列された収縮画線から少なくとも構成され、前記基本画線、前記拡張画線及び前記収縮画線を構成する縦方向の画線と横方向の画線は、略直角であることを特徴とする秘匿情報を有する印刷物である。
【００１２】
本発明の前記複数の画線は、前記拡張画線及び／又は前記収縮画線が、前記基本画線に対して配列された際に生じる空白領域に、補足画線が更に配列され、前記補足画線を構成する縦方向の画線と横方向の画線は、略直角であることを特徴とする秘匿情報を有する印刷物である。
【００１３】
本発明の前記複数の画線は、画線幅及び非画線幅が等しいことを特徴とする秘匿情報を有する印刷物である。
【００１４】
本発明は、前記複数の画線において、前記基本画線と、前記基本画線の隣に配置される前記拡張画線又は前記収縮画線との非画線幅が、その他の非画線幅とは異なり、前記その他の非画線幅はすべて等しいことを特徴とする秘匿情報を有する印刷物である。
【００１５】
本発明の前記基本画線は、前記秘匿情報の輪郭に基づき形成されたことを特徴とする秘匿情報を有する印刷物である。
【００１６】
本発明は、前記基本画線が機能性を有するインキにより印刷され、前記基本画線以外の前記複数の画線が、前記機能性を有しないインキにより印刷されているか、又は前記基本画線以外の前記複数の画線が、機能性を有するインキにより印刷され、前記基本画線が前記機能性を有しないインキにより印刷され、前記機能性を有するインキ及び前記機能性を有しないインキが同色であることを特徴とする秘匿情報を有する印刷物である。
【発明の効果】
【００１７】
本発明の秘匿情報を有する印刷物は、所望する秘匿情報が規則的に配列された微細な画線内に配置されているため、印刷模様を視認しても、秘匿情報が施されていることを確認することはできず、仮に当該の印刷物を模倣しようとしても、その秘匿情報まで再現した印刷物を作成することは非常に困難である。
【００１８】
また、前述のとおり、秘匿情報まで再現した模倣の印刷物を作成することが非常に困難なことから、模倣品か真正品かを秘匿情報の有無により、容易に判別可能である。
【００１９】
また、本発明の秘匿情報を有する印刷物は、秘匿情報が数字、文字、記号又はロゴマークを有するスプレッド画線で構成されているため、スプレッド画線自体が複雑となり、偽造することが困難である。
【００２０】
また、本発明の秘匿情報を有する印刷物は、秘匿情報を有するスプレッド画線が線画で構成されているため、印刷物等の地紋としても適用可能であり、様々な印刷物において用いることができる。
【発明を実施するための最良の形態】
【００２１】
本発明を実施するための最良の形態について、図面を用いて説明する。しかしながら、本発明は以下に述べる実施するための最良の形態に限定されるものではなく、特許請求の範囲に記載されている技術の範疇であれば、その他いろいろな実施の形態が含まれる。
【００２２】
また、本発明における秘匿情報を有する印刷物を構成する各画線は、秘匿情報を形成する輪郭線から成る画線（以下「基本画線」という。）、基本画線の外側の位置に配列された画線（以下「拡張画線」という。）、基本画線の内側の位置に配列された画線（以下「収縮画線」という。）、基本画線とは直接関係せず、拡張画線及び／又は収縮画線の複数の画線同士が配列された際に生じる空白領域に配置された画線（以下「補足画線」という。）である。また、拡張画線、収縮画線及び補足画線の少なくとも一つと基本画線から成る画線群をスプレッド画線と定義し、更に印刷物上にスプレッド画線により構成された模様を地紋模様と定義する。
【００２３】
なお、本発明における基本画線は、図２（ａ）に示すように、囲むような画線によって秘匿情報を形成する（以下「閉図形」という。）ものであり、図２（ｂ）及び（ｃ）のような点線や一点鎖線でも良い。さらには、図２（ｄ）のような、基本的には閉図形ではあるが、一部の画線が途切れているような形状でも構わず、基本画線を構成する画線については、直線、波線、破線、点線等、秘匿情報を閉図形として形成可能であれば構わない。また、秘匿情報の形成するエッジ部（角）は、曲線で形成しても良い。この場合、拡張画線、収縮画線及び補足画線のエッジ部は、曲線幅が広がることなく、秘匿情報の形成するエッジ部の曲線と同一の曲線となる。
【００２４】
したがって、この閉図形に対して、拡張画線は、外側の位置に少なくとも一つ以上配置され、収縮画線は、内側の位置に少なくとも一つ以上配置されることを意味する。
【００２５】
（秘匿情報を有する印刷物）
図３は、本発明による秘匿情報を有する印刷物１を示す図である。印刷物１は、基材２上に、規則的に配列された複数の画線による地紋模様３が全面に印刷されている。この地紋模様には、本発明のスプレッド画線４が施されている。なお、このスプレッド画線４を含んだ地紋模様は、本実施の形態では、基材全面に印刷されているが、これに限らず、基材上の一部に印刷されていても良い。図４は、図３の印刷物内において、点線で囲まれた箇所５を拡大した図４（ａ）と更にその位置のスプレッド画線４の一部を拡大した図４（ｂ）及び画線の縦画線と横画線の配置を示す図４（ｃ）である。以下に、このスプレッド画線を有する地紋模様３について詳細に説明する。
【００２６】
図４に示すように、基材２に秘匿情報となる基本画線４ａが形成され、その基本画線４ａに対して、外側の位置に少なくとも一つ以上所定の間隔で拡張画線４ａ+１、４ａ+２、・・・４ａ+ｎ（ｎは、３以上の整数）が形成され、基本画線及び拡張画線でもないところに空白領域を埋めるための補足画線４ｂが配置され、いわゆるスプレッド画線によって地紋模様が形成されている。なお、図４では、基本画線４ａに対して外側に拡張画線によってスプレッド画線を構成しているが、基本画線４ａに対して内側に収縮画線を形成しても良い。
【００２７】
このとき、基本画線の画線幅、拡張画線の画線幅及び収縮画線の画線幅は同一で、かつ、拡張画線の非画線幅及び収縮画線の非画線幅は同一であることが好ましい。なぜならば、所定領域当たりの画線面積率が同一であることにより秘匿情報が肉眼で確認し難い状況となるからである。なお、後述するフィルターを用いて秘匿情報を確認する場合には、基本画線と拡張画線及び収縮画線との非画線幅を若干異ならせることで、より簡単に秘匿情報を確認することができるため、真偽判別の方法により、非画線幅の間隔を決めれば良い。なお、本発明において、画線幅とは、図４（ｃ）に示すように、スプレッド画線を構成している各画線の太さ（ア）のことであり、また、非画線幅とは、隣り合う画線同士の間隔（イ）のことである。
【００２８】
スプレッド画線４は、秘匿情報の基本画線４ａ、基本画線４ａに対する拡張画線４ａ＋１、４ａ＋２、・・・、４ａ＋n（ｎは、３以上の整数）及び補足画線４ｂが、図４（ｃ）に示すように、縦方向の画線（ウ）と横方向の画線（エ）が略直角（９０度±５度）になるように配置されている。これは、後述する本発明の秘匿情報を有する印刷物を作成する方法において、違和感のない画線配列とするためであるとともに、秘匿情報を肉眼でより視認し難くするためである。
【００２９】
また、銀行券、パスポート、有価証券、カード、印紙類、商品タグ、有料道路等の回数券、各種チケット等の印刷する領域が小さい貴重品に付与する場合は、秘匿情報を視認し難くするために、基本画線の画線幅、拡張画線の画線幅、収縮画線の画線幅及び補足画線の画線幅が、２５〜５００μｍの範囲であり、拡張画線の非画線幅、収縮画線の非画線幅及び補足画線の非画線幅が、１００〜１０００μｍの範囲であることが好ましい。
【００３０】
本発明の印刷物１に付与される秘匿情報は、数字、文字、記号又は絵柄、図柄等のロゴマーク等を付与することができる。
【００３１】
本発明に用いる印刷方法は特に限定されない。例えば、凹版印刷、グラビア印刷、スクリーン印刷、オフセット印刷、レーザプリンタ、インクジェットプリンタ等で印刷することができる。
【００３２】
なお、スプレッド画線の基本画線に対して外側に配置する拡張画線、内側に配置する収縮画線及び補足画線の本数は、スプレッド画線を形成する領域、付与する秘匿情報の形状、画線幅及び非画線幅によって異なる。よって、スプレッド画線を形成する領域、付与する秘匿情報の形状、画線幅及び非画線幅の設定値によっては、拡張画線、収縮画線又は補足画線のいずれかは形成されない場合がある。
【００３３】
（印刷物の作成方法）
本発明の秘匿情報を有する印刷物は、本出願人が先に出願した特願２００８−１２０８３３に記載されている線画データの作成方法を用いることが好ましい。
以下に、先に出願した特願２００８−１２０８３３に基づき、本発明の印刷物の作成方法を説明する。
【００３４】
図５は、スプレッド画線データの作成方法を示すフロー図である。図５に示すように、第１の工程で、所定の原画像から本発明の印刷物に施す秘匿情報となる画素値｛０｝及び画素値｛１｝を含む二値画像データ６を取得する。なお、前述の所定の原画像は、例えば、ソフトウェアによって文字情報等を含む二値画像を自動生成しても良いし、画像処理ソフト等を用いて写真等の多階調画像に二値化処理を施すことで所定の二値画像を作成しても良い。画素値｛０｝及び画素値｛１｝を含む二値画像データ６は、画素値｛０｝、画素値｛１｝及び画素値｛α｝（αは、０及び１以外の整数）を含む画像データであっても良い。画素値｛０｝は黒画素であり、画素値｛１｝は白画素であり、画素値｛α｝は黒画素及び白画素以外にあらかじめ定義した画素である。よって、画素値｛α｝は、０及び１以外の任意の整数で表される。二値画像データ６の保存形式は、特に限定されることなく、ＢＭＰ、ＴＩＦＦ、ＪＰＥＧ、ＧＩＦ等が可能である。
【００３５】
二値画像データ６の一例を図６に示す。図６においての二値画像データ６は、数字及び英文字から成り、数字及び英文字は、画素値｛０｝が黒画素で表現され、数字及び英文字の周辺領域は、画素値｛１｝で表現している。なお、図６に限定されることなく、二値画像データは、数字及び英文字から成り、数字及び英文字は、画素値｛０｝が黒画素で表現され、数字及び英文字の周辺領域は、画素値０及び画素値１以外の画素値｛α｝で表現しても良い。
【００３６】
次に、第１の工程で取得した二値画像データ６に対して、第２の工程により二値画像データ６の各画素をｎ×ｎ画素に拡大した拡大画像データ７を作成する。このｎ×ｎ画素のｎは、正の偶数である必要があり、特に、ｎは、２であることが好ましい。二値画像データ６から拡大画像データ７に変換される一例を図７に示す。図７は、二値画像データ６の各画素Ｐを２×２画素に拡大した拡大画像データ７を示す図であり、二値画像データ６の一部拡大図である４×３画素が拡大画像データ７の一部拡大図である８×６画素に変換されている。このとき、画素値｛０｝である黒画素は、２×２画素に拡大されるが、一旦、２×２画素すべての画素の画素値を｛０｝にした後に、後述する配列置換手段によって変換する。
【００３７】
次に、第２の工程で取得した拡大画像データ７について、第３の工程により拡大画像データ７をｎ×ｎ画素（ｎは、正の偶数）に分割し、すべての配列の画素値を所定の配列置換規則によって置換し、配列置換画像データ８を作成する。拡大画像データ７から配列置換画像データ８に変換される一例を図８に示す。図８は、空白領域を無くし、画素の周辺領域を偶数とするため、２×２画素に拡大した拡大画像データ７の{０、０、０、０}の画素を{α、α、０、α}に置換し、{１、１、１、１}の画素を{α、α、α、α}に置換した配列置換画像データ８を示す。所定の配列置換規則は、上記記載の置換規則に限定されることはない。そこで、２×２画素の配列置換規則の例で説明する。
【００３８】
図９に示すように、２×２画素の配列Ｃｉ(ｉ＝１、２、・・・、７)を画素値Ｐｘｙ(ｘ＝１又は２；ｙ＝１又は２)を用いてＣｉ＝{Ｐ１１、Ｐ２１、Ｐ１２、Ｐ２２}で表し、Ｃ１＝{０、０、０、０}、Ｃ２＝{１、１、１、１}、Ｃ３＝{０、α、α、α}（αは、０及び１以外の整数）、Ｃ４＝{α、０、α、α}、Ｃ５＝{α、α、０、α}、Ｃ６＝{α、α、α、０}及びＣ７＝{α、α、α、α}と定義し、２×２画素の配列がＣ１の場合は、Ｃ３、Ｃ４、Ｃ５及びＣ６のいずれか一つを選択して置換し、２×２画素の配列がＣ２の場合は、Ｃ７に置換する。この処理によって、図１０（ｂ）に示すように、各画線間に発生する空白領域Ｓの発生等を未然に防ぐことができる。この空白領域Ｓは、秘匿情報を示す基本画線に対して、何も処理せずに拡張画線及び収縮画線を配置してしまうと、必ずしも各基本画線同士の画線間隔が一定ではないため、図１０（ａ）のように、最終的に隣接する拡張画線同士の画線間隔が一定ではなくなることで発生してしまうものである。
【００３９】
次に、第３の工程で作成した配列置換画像データ８は、図１１に示すように、第４の工程により、配列置換画像データ８の所定の画素値｛α｝に対して、上下又は左右の画素値が共に｛０｝の場合は、画素値｛０｝に変換して画素連結画像データ９を作成する。ただし、実際に画素値｛α｝を画素値｛０｝に変換する前に、画素値｛０｝への変換必要性をすべて判定しておくものとする。上記判定が完了する前に画素値｛０｝への変換が実施された場合、図１２に示すような意図しない変換結果が得られる。
【００４０】
なお、この画素連結画像データ９を作成する第４の工程については、図５のフロー図に点線で囲んだように、必ずしも行わなければならないものではない。第４の工程を省略した場合は、例えば、図１６に示すように、秘匿情報を形成する基本画線は小さな正方形の集合となり、第４の工程を実施した場合は、例えば、図２５に示すように、秘匿情報を形成する基本画線は秘匿情報の輪郭形状となる。ただし、第４の工程を実施しても省略しても、所定領域当たりの画線面積率は、同一である。
【００４１】
第３の工程で作成された配列置換画像データ８又は第４の工程で作成された画素連結画像データ９の画素値｛α｝を、第５の工程により、｛０｝又は｛１｝に変換し、拡張変換画像データを作成する。図１３のフロー図に示すように、拡張変換画像データ１０を作成するには、図１４に示す配列置換画像データ８の画素値｛０｝に対して、隣接する画素の画素値が｛α｝の場合に、隣接する画素の画素値を｛１｝に変換する第１の拡張変換と、変換された画素値｛１｝に対して、隣接する画素の画素値が｛α｝の場合に、隣接する画素の画素値を｛０｝に変換する第２の拡張変換と、画素値｛α｝が無くなるまで第１の拡張変換及び第２の拡張変換を繰り返すことによって拡張変換画像データ１０を作成する。ここでいう隣接する画素とは、図１５に示すように、基準となる画素値の周辺の斜線で記載されている８個の画素のことである。
【００４２】
次に、第５の工程で作成した拡張変換画像データ１０について、第６の工程により拡張変換画像データ１０の輪郭を抽出して線画データを作成し、スプレッド画線データ１１を得る。図１６に拡張変換画像データ１０の輪郭を抽出したスプレッド画線データ１１を示す。この作成されたスプレッド画線データ１１を用いて基材上に印刷することで、秘匿情報を有する印刷物が作成できる。
【００４３】
（印刷物の真偽判別方法）
本発明の印刷物１に秘匿情報が含まれているか否かは、作成者だけが認識していることであり、作成者以外の第三者については、秘匿情報を肉眼では確認し難い状態であるため、秘匿情報が含まれているかを確認することは困難である。したがって、真偽を判定する必要性が生じた際には、所定の確認方法により秘匿情報を確認する必要がある。そこで、本発明の秘匿情報を有する印刷物１の真偽判別方法を以下に説明する。
【００４４】
（真偽判別方法１）
図１７に、本発明の秘匿情報を有する印刷物１の真偽判別する方法の第１の実施形態を示す。図１７（ａ）は、本発明の秘匿情報を有する印刷物１の一部を拡大した図であり、図１７（ｂ）は、本発明の秘匿情報を有する印刷物１の秘匿情報を確認するために要する判別具１２を示す図であり、図１７（ｃ）は、図１７（ａ）の印刷物上に、図１７（ｂ）の判別具１２を重ねた際に確認できる秘匿情報を示す図である。なお、図１７（ａ）では、図面上、秘匿情報を形成する基本画線４ａを二重線で表現しているが、後述の判別具１２との関係における配列を説明するために、わかりやすくしたものであり、実際の印刷物上では、周辺領域の拡張画線と同じ画線である。
【００４５】
また、図１７（ａ）の点線囲いの箇所を更に拡大した図が、図１７（ｄ）である。図１７（ｄ）に拡大して示したように、図１７（ｂ）のような格子模様の判別具１２を用いる場合には、秘匿情報を形成する基本画線４ａと、基本画線４ａの隣に配置される拡張画線４ａ+１の画線との非画線幅を、他の非画線幅とは若干異ならせることで、図１７（ｃ）のような秘匿情報を確認することができる。なお、基本画線４ａの画線幅を、基本画線４ａの周辺領域に配置される拡張画線４ａ＋１、４ａ＋２、・・・、４ａ＋n（ｎは、３以上の整数）及び判別具１２上の画線幅よりも若干太くしても、印刷物１上に格子模様の判別具１２を重ねることで、秘匿情報４を確認することも可能である。したがって、判別具１２の格子模様１３の画線幅と印刷物１上のスプレッド画線の画線幅は異なっていても良く、重要なのは非画線幅を同一とすることである。
【００４６】
図１７（ｂ）の判別具１２は、透明フィルム上に、本発明の秘匿情報を有する印刷物１を構成しているスプレッド画線の画線幅及び非画線幅と同一の画線幅及び非画線幅を有する複数の画線によって形成された画線群から成る格子模様１３である。なお、判別具１２は、透明フィルムでなくても良く、半透明のフィルムや光透過性の高い紙を用いることも可能である。
【００４７】
透明フィルム上に形成された画線群は、前述のとおり、スプレッド画線の画線幅及び非画線幅と同一の画線幅及び非画線幅により、直交した格子模様１３となっているが、この態様とは別に、図１８（ｂ）のように、印刷物１に印刷されている秘匿情報を形成する基本画線４ａを白抜きとした領域１５を設け、その他の領域１６を印刷物１に印刷したスプレッド画線と異なる色によってベタ刷りした判別具１２を用意する。この判別具１２には、印刷物１上の秘匿情報を形成した基本画線４ａと、白抜きした領域１６とが同じ位置となるように、図１８（ａ）に示す印刷物の所定の位置１４ａに合わせて、図１８（ｂ）の判別具１２に基準位置１４ｂが設けられている。その印刷物の所定の位置１４ａと判別具１２の基準位置１４ｂが同じ位置となるように印刷物１上に判別具を重ねると、図１８（ｃ）のようにベタ刷りされた透明フィルムの白抜き箇所から秘匿情報が確認できる。
【００４８】
（真偽判別方法２）
図１９に、上記真偽判別方法１とは異なる真偽判別方法２を示す。
図１９に示す真偽判別方法２については、印刷物１に印刷する地紋模様３において、秘匿情報を形成する基本画線４ａを、機能性を有するインキで印刷するものである。例えば、秘匿情報を形成する基本画線４ａと、その他のスプレッド画線を印刷するインキの色は、同色とし、基本画線４ａを印刷するインキには、紫外線を照射した際に発光する顔料を含有させる。この印刷物１を可視光下で視認しても、秘匿情報を確認することができないが、印刷物１に紫外線ランプ１７等を用いて紫外線を照射すると、基本画線４ａのみが発光して、秘匿情報を確認することが可能となる。
【００４９】
なお、機能性を有するインキで印刷する画線は、前述のような基本画線４ａではなく、基本画線４ａを除くスプレッド画線としても良く、その場合には、逆に基本画線４ａだけを、機能性を有しないインキで印刷することとなる。
【００５０】
また、秘匿情報を形成する基本画線４ａを印刷する機能性を含有するインキについては、前述の紫外線発光の特性以外に、赤外線、磁気特性、メタメリック特性等、地紋模様を形成するスプレッド画線に印刷するインキと同色であれば、その含有した機能性顔料の特性に合った確認方法により秘匿情報が確認可能であれば良く、特に機能性の種類は限定されない。
【００５１】
本願発明におけるスプレッド画線に対して、前述のような機能性を含有するインキを用いて真偽判別を行うことが可能であることから、従来のあらゆるスプレッド画線においても、本願発明同様に、機能性を含有するインキを用いることで、本明細書に記載してあるような真偽判別方法を行うことは言うまでもない。
【００５２】
（真偽判別方法３）
図２０に、前述の真偽判別方法２又は３とは異なる真偽判別方法３を示す。
図２０は、印刷物１に印刷された秘匿情報を、コンピュータ画像処理により、あらかじめ記憶した正規の秘匿情報とパターンマッチングする方法である。具体的には、印刷物１をスキャナー又はＣＣＤカメラ等により画像取得し、取得した画像内に、あらかじめ記憶している正規の秘匿情報が含まれているかをパターンマッチングにより探索し、適合した場合に正、適合しなかった場合に否と判断するものである。このコンピュータ画像処理による別の真偽判別方法として、テンプレートマッチングと呼ばれる公知の画像処理方法を適用しても良く、他にも正規の秘匿情報と画像処理により比較及び判定できる方法であれば、特に限定されない。
【実施例】
【００５３】
以下、実施例を用いて本発明を更に詳細に説明するが、本発明の内容は、これらの実施例の範囲に限定されるものではない。
【００５４】
（実施例１）
図３は、商品券１の全面に地紋模様２が印刷されており、この地紋模様２は、図２１に示す図柄を秘匿情報として、スプレッド画線により構成されたものである。スプレッド画線を構成する各画線の幅は１５０μmで、拡張画線、収縮画線及び補足画線の非画線幅は３００μｍとなっている。なお、本実施例１における商品券１を真偽判別する方法として、判別具は後述する格子模様を用いるため、秘匿情報を構成する基本画線４ａの配置は、図１７（ｄ）のような配置となっており、基本画線４ａを基材１に対して水平方向左側及び垂直方向上側にそれぞれ５０μｍずらして配置してある。したがって、基本画線４ａの左側及び上側の非画線幅ｙは２５０μｍとなっており、基本画線４ａの右側及び下側の非画線幅ｚは３５０μｍとなっている。その他の非画線幅ｘは、すべて３００μｍで同一となっている。この構成による地紋模様２をレーザプリンタにより紙基材に印刷したものである。
【００５５】
なお、本実施例では、前述のとおり基本画線４ａを水平方向左側及び垂直方向上側にずらして配置してあるが、このずらす方向は、特に限られるものではなく、基本画線と基本画線の隣に配置される拡張画線又は収縮画線との非画線幅を、その他の収縮画線同士の非画線幅、拡張画線同士の非画線幅、補足画線同士の非画線幅、拡張画線と補足画線との非画線幅及び収縮画線と補足画線との非画線幅を異ならせる配置とすれば、方向には限定されない。
【００５６】
この商品券１における秘匿情報を有する地紋模様２の作成方法を説明する。まず、図２１に示す図柄Ａを画素値｛０｝及び画素値｛１｝の二値画像データとして作成した。二値画像データのうち、画素値｛０｝は、図柄Ａを表現し、画素値｛１｝は、図柄Ａの周辺領域を表現している。次に、二値画像データの各画素を２×２画素に拡大した拡大画像データを作成した。次に、拡大画像データのＣ１＝{０、０、０、０}の画素をＣ５＝{２、２、０、２}に置換し、Ｃ２＝{１、１、１、１}の画素は、Ｃ７＝{２、２、２、２}に置換して配列置換画像データを作成した。次に、配列置換画像データの画素値｛２｝に対して、上下又は左右の画素値が共に｛０｝の場合は、画素値｛０｝に変換して画素連結画像データを作成した。次に、画素連結画像データの画素値｛０｝に対して、隣接する画素の画素値が｛２｝の場合に、隣接する画素の画素値を｛１｝に変換し、画素値｛１｝に対して、隣接する画素の画素値が｛２｝の場合に、隣接する画素の画素値を｛０｝に変換し、画素値｛２｝が無くなるまで変換処理を連続して繰り返して拡張変換画像データを作成した。最後に、拡張変換画像データの輪郭を抽出して、輪郭の線幅１５０μｍ、非画線幅３００μｍの地紋模様となる線画データを作成した後、市販の線画編集ソフトウェアを用いて基本画線４ａのみを左上側に５０μｍずらして配置した。
【００５７】
実施例１の商品券１を可視光下で肉眼により観察した場合に、スプレッド画線を構成する基本画線４ａの画線幅、拡張画線４ａ＋１、４ａ＋２、・・・、４ａ＋n（ｎは、３以上の整数）の画線幅、収縮画線４ａ−１、４ａ−２、・・・、４ａ−n（ｎは、３以上の整数）の画線幅及び補足画線の画線幅が同一であり、拡張画線の非画線幅、収縮画線の非画線幅及び補足画線の非画線幅が同一である、つまり、所定領域当たりの画線面積率が同一であるため秘匿情報（図柄Ａ）を肉眼で確認し難い状況であった。なお、前述のとおり、格子模様による判別具を用いるため、基本画線４ａを左上側に５０μｍずらして配置してあるため、基本画線４ａと、その基本画線４ａに隣接する拡張画線４ａ＋１との非画線幅のみ、他の非画線幅とは異なっている。
【００５８】
この商品券１に対して、秘匿情報４を確認するための判別具１２を用意した。判別具１２は、図１７（ｂ）に示す格子模様１３を透明フィルム上に形成したものである。この格子模様１３は画線幅をスプレッド画線の画線幅と同じ１５０μｍとし、非画線幅は３００μｍとした。この判別具１２を商品券１に重ねて観察すると、格子模様の中に秘匿情報４を確認することができた。
【００５９】
（実施例２）
図２２は、証明書１８の一部に模様が印刷されており、この模様は、図２３に示す図柄Ｂを秘匿情報として、図２４に示すようなスプレッド画線により構成されたものである。スプレッド画線を構成する各画線の幅は１２０μmで、非画線幅は２５０μｍとなっている。なお、秘匿情報を構成する基本画線４ａと、その周辺領域を構成している拡張画線４ａ＋１、４ａ＋２、・・・、４ａ＋n（ｎは、３以上の整数）、収縮画線４ａ−１、４ａ−２、・・・、４ａ−n（ｎは、３以上の整数）及び補足画線の画線幅及び非画線幅は同一である。
【００６０】
また、本実施例２については、紙基材に模様を施すためのインキを実施例１とは異ならせている。具体的には、図２５（ａ）に示す秘匿情報を構成する基本画線４ａは、紫外線発光特性を有する顔料を配合したインキにより印刷し、図２５（ｂ）に示すその他の拡張画線、収縮画線及び補足画線には、紫外線発光特性を有する顔料を配合しておらず、この二種類のインキは、同じ薄紫色となっている。この構成により、可視光下では、模様全体が１色により構成されているように見えるが、紫外線を照射することにより基本画線４ａが発光し、秘匿情報の図柄Ｂを確認することができる。この図２５（ａ）に示す秘匿情報の図柄Ｂ用の版面と、図２５（ｂ）に示す秘匿情報の図柄Ｂを削除したスプレッド画線用の版面の２版を作製し、オフセット印刷機によりこれらの２版の模様を刷り合せて紙基材に印刷したものである。
【００６１】
この証明書における秘匿情報を有する模様の作成方法を説明する。まず、実施例１と同様、図２３に示す図柄Ｂを画素値｛０｝及び画素値｛１｝の二値画像データとして作成した。二値画像データのうち、画素値｛０｝は図柄Ｂを表現し、画素値｛１｝は図柄Ｂの周辺領域を表現している。次に、図７に示すように、二値画像データの各画素を２×２画素に拡大した拡大画像データを作成した。次に、図９のような手順で、拡大画像データのＣ１＝{０、０、０、０}の画素をＣ５＝{２、２、０、２}に置換し、Ｃ２＝{１、１、１、１}の画素は、Ｃ７＝{２、２、２、２}に置換して配列置換画像データを作成した。次に、図１１に示すように配列置換画像データ６の所定の画素値｛２｝に対して、上下又は左右の画素値が共に｛０｝のところを画素値｛０｝に変換して、画素連結画像データを作成した。次に、画素連結画像データの画素値｛０｝に対して、隣接する画素の画素値が｛２｝のところを画素値｛１｝に変換し、画素値｛１｝に対して、隣接する画素の画素値が｛２｝のところを画素値｛０｝に変換し、画素値｛２｝が無くなるまで変換処理を連続して繰り返して拡張変換画像データを作成した。最後に、拡張変換画像データの輪郭を抽出して、線幅１２０μｍ、非画線幅２５０μｍの線画データを作成した。
【００６２】
実施例２のスプレッド画線内の秘匿情報を有する印刷物を図２６（ａ）のように可視光下で肉眼で観察した場合に、基本画線、拡張画線、収縮画線及び補足画線の画線幅が同一であり、拡張画線、収縮画線及び補足画線における各画線同士の非画線幅が同一である。つまり、所定領域当たりの画線面積率が同一であるため、秘匿情報（図柄Ｂ）が肉眼で確認し難い状況であった。なお、図２６（ａ）では、説明上、画線幅及び非画線幅を広く設けてあるため、秘匿情報を認識することができるが、実際の印刷物においては、前述のとおり秘匿情報は確認し難い状態である。
【００６３】
この印刷物に対して、図２６（ｂ）に示すように、紫外線ランプにより紫外線を照射したところ、紫外線発光特性を有するインキで印刷されている基本画線４ａのみが発光し、秘匿情報を確認することができた。
【００６４】
また、本発明の印刷物に複写防止画線を組み合わせることが可能であり、複写防防止効果を得ることができる。例えば、特開平８−１９７８２８号公報、特開平８−３００８００号公報、特開昭５７−２０３９７号公報、特開２０００−１８５４５７号公報等の複写防止技術が採用可能であり、特開２０００−２６３９１１記載のような形態を形成することができる。ただし、スプレッド画線内の秘匿情報は、三角形ではなく、数字、文字、記号又は、絵柄、図柄等のロゴマーク文字等の複雑な形態を採用するものである。
【図面の簡単な説明】
【００６５】
【図１】スプレッド画線を示す図である。
【図２】本発明における基本画線を説明する図である。
【図３】本発明の実施の形態を示す図である。
【図４】図２に示す実施の形態の一部を拡大した図である。
【図５】本発明のスプレッド画線の作成方法を示すフロー図である。
【図６】本発明の二値画像データの一例を示す図である。
【図７】二値画像データから拡大画像データに変換される一例を示す図である。
【図８】拡大画像データから配列置換データに変換される一例を示す図である。
【図９】２×２画素の配列置換規則の例を示す図である。
【図１０】従来のスプレッド画線の線画データ作成の問題点を示す図である。
【図１１】配列置換画像データから画素連結画像データに変換される一例を示す図である。
【図１２】配列置換画像データから意図しない画素連結画像データに変換される一例を示す図である。
【図１３】拡張変換手段を示すフロー図である。
【図１４】配列置換画像データから拡張変換画像データに変換される一例を示す図である。
【図１５】拡張変換画像データにおける隣接する画素の説明図である。
【図１６】拡張変換画像データからスプレッド画線データに変換される一例を示す図である。
【図１７】本発明の印刷物に対する真偽判別方法１を説明する図である。
【図１８】本発明の印刷物に対する真偽判別方法２を説明する図である。
【図１９】本発明の印刷物に対する真偽判別方法３を説明する図である。
【図２０】本発明の印刷物に対する真偽判別方法４を説明する図である。
【図２１】実施例１における秘匿情報を示す図である。
【図２２】実施例２の秘匿情報を有する印刷物を示す図である。
【図２３】実施例２における秘匿情報を示す図である。
【図２４】実施例２における秘匿情報に対するスプレッド画線を示す図である。
【図２５】実施例２のスプレッド画線を基本画線と拡張画線及び収縮画線に分解した図である。
【図２６】実施例２の印刷物に対する真偽判別方法を説明する図である。
【図２７】従来のスプレッド画線を示す図である。
【符号の説明】
【００６６】
１、１８          秘匿情報を有する印刷物
２          基材
３          地紋模様
４、１９          スプレッド画線
４ａ        基本画線
４ａ＋１、４ａ＋２      拡張画線
４ａ−１、４ａ−２      収縮画線
４ｂ        補足画線
５          スプレッド画線の一部拡大箇所
６          二値画像データ
７          拡大画像データ
８          配列置換画像データ
９          画素連結画像データ
１０        拡張変換画像データ
１１        スプレッド画線データ
１２、１６          判別具
１３        格子模様（判別具）
１４ａ、１４ｂ      基準位置（判別具）
１５        白抜き領域（判別具）
１７        紫外線ランプ
Ａ、Ｂ      秘匿情報
Ｐ          画素
ア          画線幅
イ          非画線幅
ウ          縦方向の画線
エ          横方向の画線
【図１】
0005190621.tif 000002
【図２】
0005190621.tif 000003
【図３】
0005190621.tif 000004
【図４】
0005190621.tif 000005
【図５】
0005190621.tif 000006
【図６】
0005190621.tif 000007
【図７】
0005190621.tif 000008
【図８】
0005190621.tif 000009
【図９】
0005190621.tif 000010
【図１０】
0005190621.tif 000011
【図１１】
0005190621.tif 000012
【図１２】
0005190621.tif 000013
【図１３】
0005190621.tif 000014
【図１４】
0005190621.tif 000015
【図１５】
0005190621.tif 000016
【図１６】
0005190621.tif 000017
【図１７】
0005190621.tif 000018
【図１８】
0005190621.tif 000019
【図１９】
0005190621.tif 000020
【図２０】
0005190621.tif 000021
【図２１】
0005190621.tif 000022
【図２２】
0005190621.tif 000023
【図２３】
0005190621.tif 000024
【図２４】
0005190621.tif 000025
【図２５】
0005190621.tif 000026
【図２６】
0005190621.tif 000027
【図２７】
0005190621.tif 000028